(57)【特許請求の範囲】
【請求項１】
電子回路が搭載された基板と、内側面及び外側面を有する略箱型のケースと、を備え、前記ケースが、前記基板を前記内側面と対向するように保持している電子機器であって、
前記ケースには、前記内側面と前記外側面とを連結する孔部が設けられていると共に、前記外側面の前記孔部の周囲には、前記孔部から連続する空間を内部に有して先端が排水孔となっている筒状の排水部が、前記外側面の外側方向に向かって延設されており、
前記ケースの前記内側面側には、前記基板を取り囲むように形成されたリブが設けられており、前記リブの一部は、前記基板が収納されている空間の上方で、その上面が前記孔部の内壁面の一部と同一平面を成すようにして、前記ケース内に侵入した水の流れるべき流路を形成しており、前記ケース内に侵入した水が、前記流路から、前記孔部、前記排水部を介して、前記外側面側へと排出可能とされている、
ことを特徴とする電子機器。
【請求項２】
外部装置に収納されると共に、前記排水部側に傾いた状態で前記外部装置に設置される、
ことを特徴とする請求項１に記載の電子機器。
【発明の詳細な説明】
【技術分野】
【０００１】
本発明は、電子機器に関し、特に雨水等がかかる可能性のある電子機器に関する。
【背景技術】
【０００２】
従来から、屋外等で使用され、雨水等がかかる可能性のある電子機器に対し、電子機器のケースに排水孔を設け、この排水孔から排水するように構成された電子機器が存在する。このような従来の電子機器として、下記の特許文献１に記載のゴルフカートの制御ボックス９００が知られている。図７を用いてゴルフカートの制御ボックス９００について説明する。
【０００３】
ゴルフカートの制御ボックス９００は、下部ケース９０３と、この下部ケース９０３に取り付けられる一方、上面にメンブレンスイッチ９０８を配設すると共にメンブレンスイッチ９０８の下方にゴルフカート走行制御用の基板９１２、９１３を固定するようにした上部ケース９０４とを有し、上部ケース９０４のメンブレンスイッチ９０８と基板９１２、９１３との間に、該基板９１２、９１３を覆う防水用シート９１４、９１５を介入させる。
【０００４】
また、防水用シート９１４、９１５の上面に排水口９１７ａを有する排水溝９１７を形成する一方、下部ケース９０３の底面に排水口９１７ａからの水を外部へ排水する排水孔９１８を形成させる。
【０００５】
このような構成によって、基板９１２、９１３に雨水等が当たらず、また基板９１２、９１３を確実に固定することのできるゴルフカートの制御ボックス９００を提供することができる。
【先行技術文献】
【特許文献】
【０００６】
【特許文献１】実開平７−０１３６０９号公報
【発明の概要】
【発明が解決しようとする課題】
【０００７】
しかしながら、ゴルフカートの制御ボックス９００のような電子機器では、基板に対向すると共に、基板に近い位置に排水孔が開いているので、排水孔と基板との間の沿面距離が小さくなってしまっていた。そのため、制御ボックス９００を取り扱う際に、人の手などから排水孔を介して基板に静電気が飛んでしまう可能性があった。また、その問題を解決するため、沿面距離を大きくしようとすると、ケースが大型化し、結果として電子機器が大型化してしまうという問題があった。
【０００８】
本発明はこのような従来技術の実情に鑑みてなされたもので、排水孔と基板との間の沿面距離を確保し易くすると共に、小型化を妨げることのない電子機器を提供することを目的とする。
【課題を解決するための手段】
【０００９】
上記課題を解決するために本発明の電子機器は、電子回路が搭載された基板と、内側面及び外側面を有する略箱型のケースと、を備え、前記ケースが、前記基板を前記内側面と対向するように保持している電子機器であって、前記ケースには、前記内側面と前記外側面とを連結する孔部が設けられていると共に、前記外側面の前記孔部の周囲には、前記孔部から連続する空間を内部に有して先端が排水孔となっている筒状の排水部が、前記外側面の外側方向に向かって延設されており、前記ケースの前記内側面側には、前記基板を取り囲むように形成されたリブが設けられており、前記リブの一部は、前記基板が収納されている空間の上方で、その上面が前記孔部の内壁面の一部と同一平面を成すようにして、前記ケース内に侵入した水の流れるべき流路を形成しており、前記ケース内に侵入した水が、前記流路から、前記孔部、前記排水部を介して、前記外側面側へと排出可能とされている、という特徴を有する。
【００１０】
このように構成された電子機器は、排水孔と基板との間の距離が、筒状に形成された排水部の長さの分だけ長くなるため、排水孔と基板との間の沿面距離を確保し易くすることができる。また、排水部を追加するだけであるので、小型化を妨げることがない。
【００１２】
また、基板を取り囲むように形成されたリブによって、ケース内に侵入した水が基板にかからないようにすることができる。
【００１３】
また、上記の構成において、外部装置に収納されると共に、前記排水部側に傾いた状態で前記外部装置に設置される、という特徴を有する。
【００１４】
このように構成された電子機器は、排水部側に傾いた状態で外部装置に設置されるので、ケース内に侵入した水を容易に排水することができる。
【発明の効果】
【００１５】
本発明の電子機器は、排水孔と基板との間の距離が、筒状に形成された排水部の長さの分だけ長くなるため、排水孔と基板との間の沿面距離を確保し易くすることができる。また、排水部を追加するだけであるので、小型化を妨げることがない。
【図面の簡単な説明】
【００１６】
【図１】本発明の実施形態における電子機器の外観を示す斜視図である。
【図２】電子機器の内部構造を示す斜視図である。
【図３】電子機器の正面図である。
【図４】電子機器の内部構造を示す断面図である。
【図５】外部装置に収納された電子機器の設置方法を示す模式図である。
【図６】電子機器の変形例を示す模式図である。
【図７】従来例に係る電子機器の構成を示す分解斜視図である。
【発明を実施するための形態】
【００１７】
［実施形態］
以下、本発明の電子機器１００の実施形態について図面を参照しながら説明する。電子機器１００は、例えば、雨水等がかかる可能性のある装置内に収納される電子機器として用いられる。尚、本発明の電子機器１００の用途については、これに限定されるものではなく適宜変更が可能である。また、本明細書では、特に断りの無い限り、各図面のＸ１側を右側、Ｘ２側を左側、Ｙ１側を奥側、Ｙ２側を手前側、Ｚ１側を上側、Ｚ２側を下側として説明する。
【００１８】
最初に、図１乃至図４を参照して、電子機器１００の構成について説明する。図１は、電子機器１００の外観を示す斜視図であり、図２は、電子機器１００の内部構造を示す斜視図であり、図３は、電子機器１００の正面図である。また、図４は、図３に示すＡ−Ａ線からＹ１方向を見た場合の内部構造を示す断面図である。尚、図２では、電子機器１００の内部構造を示すため、ケース２０の裏側領域２０ｂ側の外壁部２８が透明であると仮定して、その部分を二点鎖線で表している。
【００１９】
図１に示すように、電子機器１００は、外観上、略箱型をしたケース２０の外側面２３に筒状の排水部５が突出した形状となっている。電子機器１００は、図２及び図３に示すように、ケース２０と、上述した排水部５と、基板１０と、スイッチ部３０と、で構成されている。尚、電子機器１００においては、排水部５が設けられている面（Ｘ１側の面）が裏面であり、その反対面（Ｘ２側の面）がオモテ面であって、オモテ面で各種操作が行なわれるように構成されている。
【００２０】
ケース２０は、その内部が、図２及び図４に示すように、オモテ面側の表側領域２０ａと、裏面側の裏側領域２０ｂとに分けられる。表側領域２０ａと裏側領域２０ｂとの間には中壁部２９が設けられており、中壁部２９が設けられていない部分が開口部２９ａとなっている。従って、表側領域２０ａと裏側領域２０ｂとが開口部２９ａを介して繋がっている。また、ケース２０全体は外壁部２８によって覆われている。
【００２１】
外部空間と面しているケース２０の外壁部２８及び上述した中壁部２９は、所定の厚さを有した合成樹脂によって形成されている。外壁部２８のうち、ケース２０内の裏側領域２０ｂと接する側は内側面２１となっており、その反対側の外部空間と接している側が外側面２３となっている。
【００２２】
尚、本実施形態では、表側領域２０ａと裏側領域２０ｂとが１つの外壁部２８によって囲まれるように、ケース２０が形成されているが、ケース２０を、表側領域２０ａを囲む表側ケースと裏側領域２０ｂを囲むカバーとの２つの部材によって構成するようにしても良い。
【００２３】
ケース２０のオモテ面は、電子機器１００における操作面２４となっており、操作面２４には、図２及び図３に示すように、複数のスイッチ部３０が設けられており、図４に示すように、スイッチ部３０の操作部３０ａが操作面２４よりＸ２方向に突出していると共に、その反対側のスイッチ部３０の一部が操作面２４より内側（Ｘ１側）の表側領域２０ａ内に位置している。操作面２４に設けられた操作部３０ａを図４におけるＸ１方向（右方向）に押圧することによって、スイッチ部３０を操作することができる。この操作によって、電子機器１００が収納される外部装置内の各機器を操作することができる。
【００２４】
ケース２０の操作面２４にはスイッチ部３０の取り付け用の孔（図示せず）が設けられており、スイッチ部３０の一部が当該取り付け用の孔に差し込まれると共に、取り付けネジ１９によって取り付けられる。尚、スイッチ部３０は、本実施形態ではプッシュスイッチ等のメカニカルスイッチを想定しているが、タッチセンサ式のスイッチ等であっても良い。
【００２５】
図２及び図４に示すように、ケース２０の裏側領域２０ｂには、基板１０が取り付けられている。基板１０は、取り付けネジ１９によって中壁部２９に取り付けられ、内側面２１と対向するように、ケース２０に保持されている。基板１０には、複数の電子部品（図示せず）を有した電子回路１５が搭載されており、電子回路１５は、電子機器１００に取り付けられている複数のスイッチ部３０を制御する。
【００２６】
図２及び図４に示すように、ケース２０の裏面側の外壁部２８の、基板１０より上方の位置において、内側面２１と外側面２３とを連結する孔部２５が設けられている。それと共に、外側面２３の、当該孔部２５の周囲には、孔部２５から連続する空間を内部に有して先端が排水孔５ａとなっている筒状の排水部５が、外側面２３の外側方向（Ｘ１方向）に向かって延設されている。
【００２７】
排水部５は、スイッチ部３０の取り付け用の孔等からケース２０内に侵入した雨水等を外部に排出するために設けられている。そのため、排水部５は、操作面２４とは反対側の、ケース２０の裏面である外側面２３に設けられている。本実施形態では、排水部５を角筒状としているが、角筒状でなく円筒状等としても良い。尚、ケース２０を、表側領域２０ａを囲む表側ケースと裏側領域２０ｂを囲むカバーとの２つの部材によって構成した場合には、表側ケースとカバーとの接続部からケース２０内に侵入した雨水等も、排水部５から外部に排出することができる。
【００２８】
ケース２０の中壁部２９と内側面２１との間、即ちケース２０の内側面２１側には、図２及び図３に示すように、基板１０を取り囲むように形成されたリブ２７が設けられている。また、図４に示すように、リブ２７のうち、基板１０より上方に位置するリブ２７は、ケース２０内に侵入した水の流路Ｒ１を成していると共に、前述した孔部２５が流路Ｒ１に連続して設けられている。前述したように、孔部２５と筒状の排水部５とは、その内部に有する空間が連続して形成されているため、ケース２０内に侵入した水は、リブ２７による流路Ｒ１、孔部２５、及び排水部５を介して排水孔５ａから外部に排出される。
【００２９】
次に、図５を参照して、電子機器１００が、雨水等がかかる可能性のある外部装置６０内に収納された場合の、電子機器１００の設置方法について説明する。図５は、外部装置６０に収納された電子機器１００の設置方法を示す模式図である。
【００３０】
電子機器１００を、雨水等がかかる可能性のある外部装置６０内に収納する場合、図５に示すように、電子機器１００を外部装置６０内に収納すると共に、電子機器１００が排水部５側（Ｙ２方向側）に傾いた状態で外部装置６０に設置する。電子機器１００を傾ける角度は、ケース２０内に侵入した雨水が電子機器１００内に留まらず、自然に流れる程度の大きさに設定される。
【００３１】
次に、図６を参照して、電子機器１００の変形例である電子機器１１０について説明する。図６は、電子機器１１０を示す模式図である。
【００３２】
電子機器１１０と電子機器１００との構造上の相違点は、電子機器１１０に取り付けられている基板４０の大きさが、電子機器１００の基板１０の大きさと異なることと、電子機器１００に設けられていたリブ２７が電子機器１１０内に設けられていないことだけである。そのため、電子機器１１０の構造については、基板４０の取り付け構造以外、その説明を省略する。また、基板４０以外各部材に対する符号については、同じものを使用する。尚、本実施形態では、リブ２７が電子機器１１０内に設けられていないが、リブ２７が基板４０を取り囲むように形成されていても良い。
【００３３】
電子機器１１０は、図６に示すように、電子機器１００と同様、電子機器１１０のケース２０の裏側領域２０ｂに、基板４０が取り付けられている。基板４０は、取り付けネジ１９によって中壁部２９に取り付けられ、内側面２１と対向するように、ケース２０に保持されている。
【００３４】
図６に示すように、ケース２０の基板４０より下方の位置において、内側面２１と外側面２３とを連結する孔部２５が設けられていると共に、外側面２３の、当該孔部２５の周囲には、孔部２５から連続する空間を内部に有して先端が排水孔５ａとなっている筒状の排水部５が、外側面２３の外側方向（Ｚ２方向）に向かって延設されている。また、電子機器１１０では、基板４０が内側面２１と対向していると同時に、孔部２５にも対向してケース２０に保持されている。
【００３５】
電子機器１１０と電子機器１００との構造上の相違点以外の大きな相違点は、電子機器１１０が外部装置６０に設置される際の設置方向である。
【００３６】
電子機器１００では、基板１０が上下方向に立つように外部装置６０内に収納され、電子機器１００がほぼ垂直に設置されたが、電子機器１１０の場合では、基板４０がＸ１−Ｘ２方向（左右方向）に延在するように、電子機器１１０を外部装置６０内に収納し、設置する。
【００３７】
そのため、電子機器１１０では、スイッチ部３０の操作部３０ａが図６におけるＺ１方向（上方向）に突出し、操作部３０ａをＺ２方向（下方向）に押圧することによって、スイッチ部３０を操作することができるように構成される。
【００３８】
図６に示すように、ケース２０の基板４０より下方の位置において、孔部２５及び先端が排水孔５ａとなっている排水部５がＺ２方向（下方向）に向かって設けられている。従って、スイッチ部３０の取り付け孔等からケース２０内に侵入した雨水等を、例えば、開口部２９ａ、外壁部２８、及び内側面２１を伝わらせることによって、排水部５から外部に排出することができる。尚、雨水等を流れやすくするために、内側面２１の表面を、孔部２５に向かって傾斜させるようにしても良い。
【００３９】
以下、本実施形態としたことによる効果について説明する。
【００４０】
電子機器１００は、排水孔５ａと基板１０との間の距離が、筒状に形成された排水部５の長さの分だけ長くなるため、排水孔５ａと基板１０との間の沿面距離を確保し易くすることができる。また、排水部５を追加するだけであるので、小型化を妨げることがない。
【００４１】
また、基板１０を取り囲むように形成されたリブ２７によって、ケース２０内に侵入した水が基板１０にかからないようにすることができる。
【００４２】
また、排水部５側に傾いた状態で外部装置６０に設置されるので、ケース２０内に侵入した水を容易に排水することができる。
【００４３】
以上説明したように、本発明の電子機器は、排水孔と基板との間の距離が、筒状に形成された排水部の長さの分だけ長くなるため、排水孔と基板との間の沿面距離を確保し易くすることができる。また、排水部を追加するだけであるので、小型化を妨げることがない。
【００４４】
本発明は上記の実施形態に限定されるものではなく、要旨を逸脱しない範囲で種々変更して実施することが可能である。
【符号の説明】
【００４５】
５        排水部
５ａ      排水孔
１０      基板
１５      電子回路
１９      取り付けネジ
２０      ケース
２０ａ    表側領域
２０ｂ    裏側領域
２１      内側面
２３      外側面
２４      操作面
２５      孔部
２７      リブ
２８      外壁部
２９      中壁部
２９ａ    開口部
３０      スイッチ部
３０ａ    操作部
４０      基板
６０      外部装置
１００    電子機器
１１０    電子機器
Ｒ１      流路
【図１】
0006502228.tif 000002
【図２】
0006502228.tif 000003
【図３】
0006502228.tif 000004
【図４】
0006502228.tif 000005
【図５】
0006502228.tif 000006
【図６】
0006502228.tif 000007
【図７】
0006502228.tif 000008